(57)【要約】【課題】  靴底にかかる荷重の移動、特にスイングの捩れに対応した荷重の移動および踵部から前足部へ又はその逆への荷重移動をスムーズに行なってスイングの安定化に寄与し得るゴルフシューズの提供を目的としている。【解決手段】  本発明のゴルフシューズ１は、前足部Ａと、中足部Ｂと、踵部Ｃとを有する靴底本体４を備え、中足部Ｂには、前足部Ａの外側最膨出点Ｐ２と踵部Ｃの外側最膨出点Ｐ３とを結んだ外側接地線Ｌ１上にその外側最膨出点Ｐ１がほぼ位置する外側張出部１２が設けられ、この外側張出部１２の両側に位置する前足部側部位および踵部側部位は、外側接地線Ｌ１の内側に凹状に窪んだ窪み部１８，１８を形成していることを特徴とする。【選択図】図２
2006068394.tif 000002
【特許請求の範囲】
【請求項１】
前足部と、中足部と、踵部とを有する靴底本体を備え、
前記中足部には、前記前足部の外側最膨出点と前記踵部の外側最膨出点とを結んだ外側接地線上にその外側最膨出点がほぼ位置する外側張出部が設けられ、この外側張出部の両側に位置する前足部側部位および踵部側部位は、前記外側接地線の内側に凹状に窪んだ窪み部を形成していることを特徴とするゴルフシューズ。
【請求項２】
前記前足部、前記中足部、前記踵部にはそれぞれ、靴底本体の略平面を形成する主面から同一の高さで突出する複数の突起が所定の位置に形成されていることを特徴とする請求項１に記載のゴルフシューズ。
【請求項３】
前記中足部の外側領域において前記外側張出部が湾曲状に張り出し、前記突起の一部は、前記外側張出部を起点として前記中足部から前記前足部および前記踵部へ向かって、前記外側張出部の湾曲形状に沿って配列されていることを特徴とする請求項２に記載のゴルフシューズ。
【発明の詳細な説明】
【技術分野】
【０００１】
本発明は、ゴルフシューズに関し、特に靴底に特徴を有するゴルフシューズに関する。
【背景技術】
【０００２】
ゴルフにおける一連のスイングでは、左右の足間で荷重が移動するだけでなく、片方の足だけでも前後に荷重の移動が行われるため、ゴルフシューズは、このような一連のスイング中に安定して荷重を支え、また、荷重の移動をスムーズに行なうことができるように、靴底構造が様々に工夫されている。
【０００３】
例えば、特許文献１には、靴底の中足部（土踏まず部）の外側領域に、側方に張り出した形状を有する柔軟で弾性を有する安定化部材を固着することにより、前足部（踏み付け部）の外側最膨出点と踵部の外側最膨出点との２点に加え、安定化部材の最膨出点との３点により構成される２次元的な面を形成し、ゴルフシューズの外側エッジにかかる荷重をこの２次元的な面で支えることによって、ゴルフスイング中における幅方向の安定性を向上させるとともに、前後方向の安定の向上も図る靴底構造が開示されている。
【０００４】
また、前記安定化部材は、その最膨出点が、靴底本体の前足部外側最膨出点と踵部外側最膨出点とを結んだ外側接地線の外側まで達するように設けられている。
【特許文献１】特開平１１−２８１０５号公報
【発明の開示】
【発明が解決しようとする課題】
【０００５】
ところで、ゴルフスイング中においては、例えば右利きの場合、アドレスからバックスイングに至るまでは、右足に荷重（体重）がかかり、右足外側で荷重が支えられる。そして、ダウンスイングからインパクト、フォロースルーへと移行するにしたがって、右足から左足へと荷重が移動され、最終的に左足外側で荷重が支持されるようになる。また、ゴルフスイングは体を中心とした回転運動であるため、靴底にかかる荷重（体重）は、左右間で移動されるだけでなく、踵部から前足部へ又はその逆へも移動される。そのため、ゴルファーは、ゴルフスイング中、この荷重移動を左右の靴底の外側で支えながらバランス良く行ない、スイングの安定化を図ろうとする。
【０００６】
しかしながら、前述した特許文献１に開示された靴底構造では、安定化部材が前記外側接地線を超えて外側へと膨出しているため、ゴルフスイング中、前記外側接地線を回転軸としてゴルフシューズが倒れ込もうとする際、まず、安定化部材の最膨出点が接地し、倒れ込みが始まるとともに安定化部材自体が変形して倒れ込みを抑制する。そのため、スイングの捩れに対応した荷重の移動がスムーズに行なえない。
【０００７】
また、前述した特許文献１に開示された靴底構造では、安定化部材が前足部および踵部よりも柔軟であるため、前記倒れ込み抑制効果を保持し続けるべく、靴底にかかる荷重を安定化部材で静的に受けてその状態を保持し続けようとする傾向がある。そのため、踵部から前足部へ又はその逆への荷重移動がスムーズに行なえず、結果的に、スイングを安定に保つことが難しくなる。
【０００８】
本発明は、前記事情に着目してなされたものであり、その目的とするところは、靴底にかかる荷重の移動、特にスイングの捩れに対応した荷重の移動および踵部から前足部へ又はその逆への荷重移動をスムーズに行なってスイングの安定化に寄与し得るゴルフシューズを提供することにある。
【課題を解決するための手段】
【０００９】
前記課題を解決するために、本発明のゴルフシューズは、前足部と、中足部と、踵部とを有する靴底本体を備え、前記中足部には、前記前足部の外側最膨出点と前記踵部の外側最膨出点とを結んだ外側接地線上にその外側最膨出点がほぼ位置する外側張出部が設けられ、この外側張出部の両側に位置する前足部側部位および踵部側部位は、前記外側接地線の内側に凹状に窪んだ窪み部を形成していることを特徴とする。
【発明の効果】
【００１０】
本発明によれば、靴底にかかる荷重の移動、特にスイングの捩れに対応した荷重の移動および踵部から前足部へ又はその逆への荷重移動をスムーズに行なってスイングの安定化に寄与し得るゴルフシューズを提供できる。
【発明を実施するための最良の形態】
【００１１】
以下、図面を参照しながら、本発明の実施形態について説明する。  
図１および図２には、本発明の一実施形態に係るゴルフシューズ１が示されている。無論、ゴルフシューズ１は、左右対を成して使用されるが、図１および図２にはその片方だけ（左足用）が示されている。
【００１２】
図１に示されるように、ゴルフシューズ１は、右足または左足が挿入される上靴本体２と、上靴本体２の底面に固着された靴底本体４とから成る。靴底本体４は、長手方向に沿って前側（爪先側）から順に、前足部Ａと、中足部Ｂと、踵部Ｃとを有している。靴底本体４の接地側の面は、前足部Ａの前端爪先部５０から踵部Ｃの後端へと至る長手方向の略全長にわたって略平坦な主面１０を形成している。
【００１３】
中足部Ｂの外側領域には、外側に向けて湾曲状に張り出す（膨出する）外側張出部１２が設けられており、また、中足部Ｂの内側領域には、外側張出部１２の張出方向と同じ方向に湾曲状（略Ｖ字状）に窪む凹部３０が土踏まず部を形成するように設けられている。なお、本明細書において、「内側」とは、左右のゴルフシューズを履いた時に対を成す図示しない他方のゴルフシューズと対向する側のことであり、「外側」とは、その反対側のことを言うものとする。
【００１４】
また、ここで、前足部Ａの外側端縁および踵部Ｃの外側端縁の両方に接する外側接地線Ｌ１を想定すると、外側張出部１２の外側端縁は、この外側接地線Ｌ１上にほぼ位置するようになっている。また、外側張出部１２の両側に位置する前足部側部位および踵部側部位は、外側接地線Ｌ１の内側に凹状に窪んだ窪み部１８，１８を形成しており、外側張出部１２の湾曲形状の形成に寄与している。なお、本明細書においては、外側接地線Ｌ１と前足部Ａとの接点を「前足部Ａの外側最膨出点Ｐ２」と称し、外側接地線Ｌ１と外側張出部１２との接点を「外側張出部１２の外側最膨出点Ｐ１」と称し、外側接地線Ｌ１と踵部Ｃとの接点を「踵部Ｃの外側最膨出点Ｐ３」と称するものとする。
【００１５】
なお、図４に明確に示されるように、凹部３０の幅Ｗ２は、中足部Ｂのそれ以外の部位（外側張出部１２を含む部位）の幅Ｗ２よりも大きくなっている。すなわち、凹部３０以外の中足部Ｂの部位の幅Ｗ２は、中足部Ｂの全体の幅Ｗ１の半分よりも小さく設定されている。
【００１６】
また、図２に明確に示されるように、前足部Ａ、中足部Ｂ、踵部Ｃにはそれぞれ、主面１０から同一の高さｔ１（図３参照）で突出する滑り止め用の複数の突起２０Ａ，２０Ｂ，２０Ｃ，２０Ｄ，２０Ｅが所定の位置に形成されている。具体的には、靴底本体４の外周に沿って複数の第１の突起２０Ａが設けられており、また、前足部Ａおよび踵部Ｃにはそれぞれ長手方向に配列された複数の第２の突起２０Ｂが設けられている。また、中足部Ｂの外側張出部１２には、外側張出部１２の湾曲形状に沿うように湾曲する円弧状の複数の第４の突起２０Ｄが、直列および並列に配列されて設けられている。更に、中足部Ｂから前足部Ａおよび踵部Ｃへと向かう主面１０上の部位には、第４の突起２０Ｄが形作る円弧の延長線（以下、第４の突起２０Ｄが形作る円弧を含めて第１の基準放物線Ｌ２という）にほぼ沿って、複数の第３の突起２０Ｃが直列に配列して設けられている。なお、本実施形態において、凹部３０の湾曲形状は、第１の基準放物線Ｌ２にほぼ沿っており、第２の基準放物線Ｌ３を規定している。
【００１７】
以上から分かるように、本実施形態において、第３の突起２０Ｃ、第４の突起２０Ｄ、凹部３０の外周に沿って配列された第１の突起２０Ａは、外側張出部１２を起点として中足部Ｂから前足部Ａおよび踵部Ｃへ向かって第１または第２の基準放物線Ｌ２，Ｌ３に沿って配列されており、外側張出部１２と共に所定幅Ｈの湾曲状の帯を形成している。また、この帯は、ゴルフスイング中における体の捻り方向にほぼ沿って延びていることが好ましい。
【００１８】
なお、第１〜第４の突起２０Ａ，２０Ｂ，２０Ｃ，２０Ｄ間の隙間には、第５の突起２０Ｅが点在して設けられているとともに、スパイクピン２５が設けられている。スパイクピン２５は、金属または樹脂から成り、そのネジ部２５ａを介して靴底本体４に対して螺着されている（着脱自在に取り付けられている・・・図３参照）。また、図３に明確に示されるように、主面１０からのスパイクピン２５の高さｔ２は、突起２０Ａ〜２０Ｅの高さｔ１よりも大きく設定されている。
【００１９】
また、図２から分かるように、外側接地線Ｌ１に最も近接して位置する突起、具体的には、第１の突起２０Ａ’，２０Ａ”および第４の突起２０Ｄ’は、外側接地線Ｌ１に沿ってこれと略平行に並ぶように配列形成されている。
【００２０】
また、図４に明確に示されるように、第４の突起２０Ｄ（２０Ｄ’）は、その内側の面４０が外側に向けて下方に傾斜する傾斜面として形成されており、一方、第４の突起２０Ｄ（２０Ｄ’）と対向する第１の突起２０Ａは、その外側の面４２が内側に向けて下方に傾斜する傾斜面として形成されている。すなわち、互いに対向する第４の突起２０Ｄ（２０Ｄ’）と第１の突起２０Ａは、その互いに向き合う面４０，４２同士が逆方向に傾斜している。
【００２１】
以上説明したように、本実施形態のゴルフシューズ１では、前足部Ａの外側最膨出点Ｐ２と踵部Ｃの外側最膨出点Ｐ３とを結んだ外側接地線Ｌ１上にその外側最膨出点Ｐ１がほぼ位置する外側張出部１２が中足部Ｂに設けられ、この外側張出部１２の両側に位置する前足部側部位および踵部側部位が外側接地線Ｌ１の内側に凹状に窪んだ窪み部１８，１８を形成している。すなわち、外側張出部１２が外側接地線Ｌ１を超えて外側へと膨出せず、しかも、外側張出部１２と窪み部１８，１８とにより中足部Ｂから前足部Ａおよび踵部Ｃへと向かう力伝達経路が形成されるため、靴底にかかる荷重を外側張出部１２で静的に受けて保持してしまうようなことはなく、スイングの捩れに対応した荷重の移動をスムーズに行なうことができる。
【００２２】
特に、本実施形態では、中足部Ｂの外側領域において外側張出部１２が湾曲状に張り出すとともに、突起の一部２０Ａ，２０Ｃ，２０Ｄ（２０Ｄ’）が、外側張出部１２を起点として中足部Ｂから前足部Ａおよび踵部Ｃへ向かって、外側張出部１２の湾曲形状に沿って配列されているため、前記力伝達経路（すなわち、所定幅Ｈを有する湾曲状の前記帯）がゴルフスイング中における体の捻り方向にほぼ沿って延び、踵部Ｃから前足部Ａへ又はその逆への荷重移動がスムーズに行なわれる。そのため、スイングを安定に保つことが容易になる。
【００２３】
また、本実施形態において、凹部３０の幅Ｗ２は、中足部Ｂのそれ以外の部位（外側張出部１２を含む部位）の幅Ｗ２よりも大きくなっている。すなわち、凹部３０以外の中足部Ｂの部位の幅Ｗ２は、中足部Ｂの全体の幅Ｗ１の半分よりも小さく設定されている。そのため、ゴルフスイング中、外側張出部１２に作用する力、すなわち、外側接地線Ｌ１を回転軸としてゴルフシューズ１を倒れ込ませようとする力を、うまく前足部Ａ側または踵部Ｃ側に伝えることができるようになる。
【００２４】
また、本実施形態においては、主面１０からのスパイクピン２５の高さｔ２が突起２０Ａ〜２０Ｅの高さｔ１よりも大きく設定されている。そのため、突起２０Ａ〜２０Ｅによる滑り止めは無論のこと、スパイクピン２５により確実に滑り止めを行なうことができるとともに、スパイクピン２５の接地面と主面１０との高低差を突起２０Ａ〜２０Ｅにより埋めることができるため、スパイクピン２５による足の裏への突き上げを緩和することができる。
【００２５】
また、本実施形態において、互いに対向する第４の突起２０Ｄ（２０Ｄ’）と第１の突起２０Ａは、その互いに向き合う面４０，４２同士が逆方向に傾斜している。そのため、中足部Ｂ（外側張出部１２）において左右の滑りを効果的に防止することができる。
【００２６】
また、本実施形態において、外側張出部１２には、湾曲状の第４の突起２０Ｄ（２０Ｄ’）が設けられているため、前後の滑りを効果的に防止することができる。
【００２７】
また、本実施形態において、外側接地線Ｌ１に最も近接して位置する第１の突起２０Ａ’，２０Ａ”および第４の突起２０Ｄ’は、外側接地線Ｌ１に沿ってこれと略平行に並ぶように配列形成されている。そのため、スイング時には、これらの突起２０Ａ’，２０Ａ”，２０Ｄ’を起点として荷重を受け、この荷重を外側で確実に且つスムーズに移動させることができるようになる。したがって、スイングを安定させることができる。
【産業上の利用可能性】
【００２８】
本発明は、ゴルフシューズに限らず、様々なスポーツシューズに適用することができる。
【図面の簡単な説明】
【００２９】
【図１】本発明の一実施形態に係るゴルフシューズの側面図である。
【図２】図１のゴルフシューズの靴底本体の底面図である。
【図３】図２のＸ−Ｘ線に沿う断面図である。
【図４】図２のＹ−Ｙ線に沿う断面図である。
【符号の説明】
【００３０】
１    ゴルフシューズ
４    靴底本体
１２    外側張出部
１８    窪み部
２０Ａ（２０Ａ’，２０Ａ”），２０Ｂ，２０Ｃ，２０Ｄ（２０Ｄ’），２０Ｅ    突起
Ａ    前足部
Ｂ    中足部
Ｃ    踵部
Ｌ１    外側接地線
Ｐ１，Ｐ２，Ｐ３    外側最膨出点
【図１】
2006068394.tif 000003
【図２】
2006068394.tif 000004
【図３】
2006068394.tif 000005
【図４】
2006068394.tif 000006